(57)【要約】【課題】コピー機能、プリンタ機能等の複数のジョブ機能を有する複合機において、複数のジョブ要求があったときに、複合機を直接操作している使用者の利便を図るとともに、無駄な空き時間が発生するのを防止すること。【解決手段】少なくとも原稿の画像をコピーするコピージョブと、ホスト装置からのプリントデータに基づいてプリントを出力するプリンタジョブを含むの複数のジョブ機能を有し、用紙を給紙する給紙手段と、この給紙手段により給紙された用紙に画像情報を記録する記録手段と各ジョブ機能の画像情報による前記記録手段の記録動作の順序を制御する記録動作制御手段とを備えた複合機におけるジョブ制御方法において、複合機に設けられた制御パネルからの指示により待機中のジョブを表示し、待機中のジョブにプリンタジョブが含まれている場合には、このプリンタジョブを制御パネルからの指示により起動できるようにした。【選択図】図１
2005041228.tif 000002
【特許請求の範囲】
【請求項１】
少なくとも原稿の画像をコピーするコピージョブと、ホスト装置からのプリントデータに基づいてプリントを出力するプリンタジョブを含むの複数のジョブ機能を有し、用紙を給紙する給紙手段と、この給紙手段により給紙された用紙に画像情報を記録する記録手段と各ジョブ機能の画像情報による前記記録手段の記録動作の順序を制御する記録動作制御手段とを備えた複合機におけるジョブ制御方法において、
複合機に設けられた制御パネルからの指示により待機中のジョブを表示し、待機中のジョブにプリンタジョブが含まれている場合には、このプリンタジョブを制御パネルからの指示により起動できるようにしたことを特徴とする複合機におけるジョブ制御方法。
【発明の詳細な説明】
【技術分野】
【０００１】
本発明は、コピー機能、プリンタ機能等の複数のジョブ機能を有する複合機におけるジョブ制御方法関し、特に、画像形成のための資源を有効に使用することができる複合機におけるジョブ制御方法に関する。
【背景技術】
【０００２】
近年、コピー機能、ファクシミリ機能、あるいはプリンタ機能等の複数のジョブ機能を有する複合機が使用され初めている。このような複合機においては、複数のジョブの実行が同時に指示されることがあるが、複合機は一つの画像形成部しか備えていないので、どのジョブをどのように実行するかが問題になる。
【０００３】
複数のジョブをどのように実行するかについては、以下に説明するように、従来からいくつかの手法が提案されている。
【０００４】
（１）特許文献１には、画像を入出力する入出力部を共用し、この入出力部により入出力される画像をそれぞれ処理する複数の機能部を有する画像形成装置において、各機能部からの使用要求に応じて入出力部を制御する制御手段を設けることが記載されている。この制御手段は、各機能部からの使用要求順に入出力部を使用可能にしたり、或いは、各機能部からのアクセスに際し各機能部の優先順位に従って入出力部を使用可能にしたりしている。
【０００５】
（２）特許文献２には、複合画像入出力装置において、ジョブ記憶手段に記憶された各画像入出力ジョブの優先処理順序を、設定された所定の条件に基づいて決定する決定手段を設けることが記載されている。この決定手段は、ジョブ記憶手段に記憶された各画像入出力ジョブの優先処理順序を、記憶された時系列に基づいて決定したり、或いは、設定された部数に基づいて決定したり、或いは、画像入力ジョブと画像出力ジョブが交互ジョブとなるように決定したり、或いは、経過時間を参照して再決定するものである。
【０００６】
（３）特許文献３には、外部装置が接続され、複数のジョブを受け付ける画像形成システムにおいて、複数のジョブの内、現在実行可能なジョブを通知する第１の通知手段と、現在実行可能なジョブの実行形態を変更する手段と、実行形態変更後の実行可能なジョブを通知する第２の通知手段とを設けることが記載されている。第１及び第２の通知手段は、現在実行可能なジョブを、画像形成システムの操作部或いは外部装置に表示するものである。また、実行形態変更の例として、実行可能なジョブの実行順序の変更、実行可能なジョブの所定のジョブ単位での取り消し、実行可能なジョブの実行優先順位の設定等が記載されている。
【０００７】
（４）特許文献４には、複合機能を有する情報処理装置において、指定された機能処理（ジョブ）の優先度、そのシステムが利用可能な構成（資源）、及び、システムの各構成要素の状態、待ち時間等に応じて、所定の機能処理を実行する技術が記載されている。
【０００８】
（５）特許文献５には、複数の入力手段毎に優先順位を付けて、それに従ってジョブ起動を制御する技術が記載されている。すなわち、パーソナルコンピュータ機能を内蔵し、且つ、モニタインターフェイス手段を介してモニタ及びキーボードを増設可能にした複合画像形成装置において、矛盾したコマンドが入力された場合の誤動作を防止するために、増設されたキーボードからの入力を他の入力手段からの入力に対して優先させる、或いは、複合画像形成装置本体のオペレーションパネルからの入力を他の入力手段からの入力に対して優先させるように制御している。
【０００９】
（６）特許文献６には、二つのジョブを同時に起動させる技術が記載されている。すなわち、複合機において、プリンタの出力モードを実行中に複写機の出力モードが指定された場合には、プリンタの出力の中に複写機の出力を全て割り込み処理し、また、複写機の出力モードを実行中にプリンタの出力モードが指定された場合には、複写機の出力の中にプリンタの出力を１ページづつ割り込み処理している。
【特許文献１】特開平５−１３０３１１号公報
【特許文献２】特開平６−２９１９２４号公報
【特許文献３】特開平６−２９５７６７号公報
【特許文献４】特開平７−２７１６１０号公報
【特許文献５】特開平６−１２５４１３号公報
【特許文献６】特開平５−７５６号公報
【発明の開示】
【発明が解決しようとする課題】
【００１０】
上記特許文献１〜５に記載の発明は、ジョブの優先順位に従って制御する方式であるが、複数のジョブの競合条件が明確になっていないため、無駄な待ち時間が発生することがある。
【００１１】
また、特許文献６には、複数のジョブを同時に起動して処理を行なうことが記載されているが、出力された用紙がどのジョブの出力であるのかが分かり難いという問題がある。
【００１２】
また、要求されたジョブの内容、優先度、待ち時間等を総合的に判断して、全体のジョブが最も短い時間で処理されるように、各ジョブの実行順序を制御することが考えられる。しかしながら、この場合には、使用者が、自分の事務机或いは作業机から離れて、複合機が設置されている場所まで出向いて、複合機を直接操作してコピージョブを指示したときに、同時にホスト装置からもプリントジョブの要求があり、プリントジョブを先に処理した方が全体の処理時間が短くなるような場合には、プリントジョブが先に実行される。このため、コピージョブを指示した使用者は、目的とするコピーが出力されるまで、複合機の前で待っていなければならず、待っている間は他の作業ができないため、時間が無駄になると共にイライラするという問題が生じる。
【００１３】
そこで本発明は、コピー機能、プリンタ機能等の複数のジョブ機能を有する複合機において、複数のジョブ要求があったときに、複合機を直接操作している使用者の利便を図るとともに、無駄な空き時間が発生するのを防止することを目的とする。
【課題を解決するための手段】
【００１４】
本発明は、少なくとも原稿の画像をコピーするコピージョブと、ホスト装置からのプリントデータに基づいてプリントを出力するプリンタジョブを含むの複数のジョブ機能を有し、用紙を給紙する給紙手段と、この給紙手段により給紙された用紙に画像情報を記録する記録手段と各ジョブ機能の画像情報による前記記録手段の記録動作の順序を制御する記録動作制御手段とを備えた複合機におけるジョブ制御方法において、複合機に設けられた制御パネルからの指示により待機中のジョブを表示し、待機中のジョブにプリンタジョブが含まれている場合には、このプリンタジョブを制御パネルからの指示により起動できるようにしたことを特徴とする。
【発明の効果】
【００１５】
本発明によれば、プリントジョブがジョブ待ちキューの中にある場合でも、複合機の制御パネルからの指示により、プリントジョブを緊急に出力させることができる。
【発明を実施するための最良の形態】
【００１６】
図１は、本発明の複合機におけるジョブ制御方法を実施するための基本的な構成を示す機能ブロック図である。なお、ここでは、コピー機能とプリンタ機能を有する複合機を例に挙げて説明する。
【００１７】
本発明においては、制御パネル等の複合機に対して各種の指示を与える入力部１からの情報、或いは、複合機のプリンタ部のカバーの開閉、用紙トレイの着脱、原稿セット等の複合機に対して行われる各種の操作を検出するための装置操作検出部２からの情報が、入力内容解析部３に供給され、複合機に対して行われた指示或いは操作の内容が解析される。入力内容解析部３からの解析結果は、複合機において複数のジョブの実行順序を決定するためのジョブスケジューラ等の制御部４に供給される。この制御部４には、入力部１から入力されたジョブ優先順位に基づいてジョブ優先順位を設定するジョブ優先順位設定部５、複合機の状態、たとえば、原稿読取装置の状態、複合機に対する操作状態等を記憶する装置状態記憶部６、実行すべきジョブの種別が実行すべき順に格納されるジョブ待ちキュー７、コピージョブ或いはプリンタジョブの要求に基づいて用紙上に画像を出力するプリンタ部８が接続されている。このプリンタ部８には、プリンタジョブ要求検知部８ａが含まれている。
【００１８】
次に、上述した機能ブロック図で示された複合機の動作について説明する。
【００１９】
いま、コピーを行なうために複合機の制御パネル（図１の入力部１に対応）で画質等を設定したとする。入力内容解析部３は、制御パネルからの出力に基づき、制御パネルでどのような操作が行われたのかを解析する。このとき制御部４は、この画質等が設定されたという解析結果に基づきコピージョブが要求されると判断し、プリンタ部８を利用可能な資源として確保するために、複合機の動作状態を「動作中」に設定する。なお、制御パネルの操作以外の複合機に対して行われる操作を装置装置検出部２で検出するとともに、その操作内容を入力内容解析部３で解析し、複合機に対して使用者により行われた操作が、コピーを行なうための操作であると判断できない場合、たとえば、プリンタ部８のカバーの開閉、用紙トレイの着脱、設定の確認等の操作である場合には、複合機の動作状態を「動作中」には設定しない。
【００２０】
このときに、プリンタジョブ要求検知部８ａがホスト装置からジョブ要求を受けると、ホスト装置から送られてきたプリントデータを印字用のイメージデータに変換し、制御部４に対してプリンタジョブ要求を行なう。
【００２１】
制御部４は、装置状態記憶部６を参照して複合機の現在の装置状態をチェックし、装置状態が「動作中」でなければ、そのプリンタジョブ要求を受け付ける。
【００２２】
装置状態が「動作中」であれば、その要求をジョブ待ちキュー７に入れて、プリンタジョブを待機させる。
【００２３】
複合機に対する操作が中止されたとき、或いは、ジョブが開始されてそのジョブが終了したときに、ジョブ待ちキュー７から順番にジョブ要求を取り出して実行していく。
【００２４】
ジョブ待ちキュー７の内容は、制御パネルから入力されたジョブ状態確認要求指示により、制御パネルの表示部に表示される。このジョブ状態の表示中に、制御パネルの操作によりプリンタジョブを選択してプリント指示すると、制御部４は、選択されたジョブをジョブ待ちキュー７から取り出して、ジョブを起動する。
【００２５】
上述のように、複合機がコピージョブの実行の準備状態にあるときには、プリンタジョブの要求があっても、コピージョブの実行を優先させることにより、使用者が、自分の事務机或いは作業机から離れて、複合機が設置されている場所まで出向いて、複合機を直接操作してコピージョブを指示したときに、同時にホスト装置からもプリントジョブの要求があっても、コピージョブが先に実行される。このため、コピージョブを指示した使用者は、目的とするコピーをすぐに得ることができる。
【００２６】
また、図１に示す複合機において、ジョブ優先順位設定部５により、プリンタジョブの優先順位を高く設定することができ、この場合には、プリンタジョブ検知部８ａは、ホストからのプリンタジョブ要求を検知したとき、ジョブ予約通知を行なう。制御部４は、複合機の状態が「動作中」でなければ、プリンタ部８を利用可能な資源として確保する。プリントデータを印字用のイメージデータに変換後、プリンタジョブ要求をすると、制御部４は、既に画像形成用の資源として確保しているプリンタ部８を使用して、プリンタジョブを起動する。したがって、プリンタ画像を可能な限り早く出力することができる。
【００２７】
また、プリンタジョブを緊急で出力したい場合には、制御パネルによりジョブ待ちキュー７に格納されているジョブを表示し、その中から起動させたいジョブを選択し、ジョブ起動要求を行なう。制御部４は、このジョブ起動要求を受けて、ジョブ待ちキュー７からプリンタジョブを優先的に起動する。これ以降の処理は、通常のジョブの処理と同じである。
【実施例】
【００２８】
図２は、本発明が適用されるコピー機能、プリンタ機能等の複数のジョブ機能を有する複合機の外観図を示す。また、図３は、図２に示される複合機の原理的な内部構成を示す概略断面図である。
【００２９】
複合機１１は、プラテンガラスの上に載置された原稿の画像或いは自動原稿送り装置から送り込まれた原稿の画像を読み取る原稿読取部１２、原稿トレイ１３ａに載置された原稿を一枚ずつ原稿読取部１２に対して自動的に送り込んで読取後の原稿をプラテンカバー１３ｂの上に排出する自動原稿送り装置１３、原稿読取部１２で得られた画像情報に基づいて用紙上に画像を形成する画像形成部１４、画像を用紙に定着する定着装置１５、複合機１１の筐体に対して引き出し可能な複数の給紙トレイ１６Ａ，１６Ｂ，１６Ｃ内に取り付けられて画像形成部１４に対して用紙を送り込むための用紙カセット１６ａ，１６ｂ，１６ｃを備えた用紙収納部１６、画像が形成された用紙が排出される排出トレイ１７等を備えている。
【００３０】
複合機１１の上面の一部には、複合機１１に対して各種の指示を入力したり、複合機１１の状態を表示するための制御パネル１８が設けられている。
【００３１】
また、画像形成部１４は、たとえば、周知の電子写真方式を採用したものであり、感光体ドラム１４ａ、この感光体ドラム１４ａの周囲に順次配置された帯電装置１４ｂ、露光装置１４ｃ、現像装置１４ｄ、転写装置１４ｅ、クリーニング装置１４ｆとから構成されている。
【００３２】
図４は、複合機１１における画像情報の流れを示すブロック図である。なお、図４は、本発明の説明に必要な部分のみを抽出して図示したものである。
【００３３】
図４において、複合機１１には、ホスト装置２１からプリントデータが入力される。ホスト装置２１としては、パーソナルコンピュータ、ワークステーションなどが考えられる。
【００３４】
複合機１１においては、原稿読取部１２からの画像信号が画像処理部２２において所定の画像処理を受けた後に、切換部２３に供給される。
【００３５】
また、ホスト装置２１から供給されたプリントデータは、ホストインタフェース２４を介して画像展開部２５に供給され、画像処理用ＣＰＵ２６での演算により、プリントデータからビットマップ状の画像データに変換されてページメモリ２７に書き込まれる。このページメモリ２７の出力は、切換部２３に供給される。
【００３６】
切換部２３は、制御用ＣＰＵ２８からの指示に基づいて、原稿読取部１２からの画像信号に基づいて画像を出力するコピージョブを実行するか、或いは、ホスト装置２１からのプリントデータに基づいて画像を出力するプリントジョブを実行するかの切り替えを行なう。また、制御用ＣＰＵ２８には、画像処理用ＣＰＵ２６における画像展開処理が終了したことを示す情報が供給される。なお、図４においては、本発明の理解を容易にするため、制御用ＣＰＵ２８の中の切換部２３のジョブ制御を行なう機能をジョブ制御部２９として仮想的に示している。ジョブの切り替え制御の詳細については後述する。
【００３７】
制御用ＣＰＵ２８には、複合機１１の制御プログラム等が書き込まれたＲＯＭ３０、作業領域等として使用されるＲＡＭ３１が接続されている。図１に示されるジョブ優先順位設定部５、装置状態記憶部６、ジョブ待ちキュー７等は、たとえば、ＲＡＭ３１の所定メモリ領域に割り当てられる。
【００３８】
また、制御用ＣＰＵ２８には、複合機１１に各種の指示を与えるキーボードや複合機１１の動作状態を示す表示装置を備えた制御パネル１８が接続されている。この制御パネル１８は、図１の入力部１に対応するものである。
【００３９】
更に、制御用ＣＰＵ２８には、複合機１１の画像形成部１４のカバー１４ｇの開閉状態を検出するためのカバー開閉センサ３２、給紙トレイ１６Ａ，１６Ｂ，１６Ｃの着脱を検出するための給紙トレイセンサ３３、原稿トレイ１３ａに載置された原稿の状態を検出するための原稿トレイセンサ３４等が接続されている。これらのセンサ３２，３３，３４は、図１の装置操作検出部２に対応している。次に、上述した複合機１１の動作について説明する。
【００４０】
図５及び図６は、コピージョブとプリンタジョブの複合動作シーケンスを示すフローチャートである。
【００４１】
先ず、装置操作の有無が検出され（ステップ１０１）、なんらかの装置操作が有った場合には、その操作が制御パネル１８によるものであるか否を判別する（ステップ１０２）。操作がパネル操作である場合には、その操作がコピーのための操作であるか否を判別する（ステップ１０３）。この判別は、パネル操作が、コピー操作に特有の操作、たとえば、画質調整、複写枚数設定、複写倍率設定、コピースタート要求等であるか否かを検出することにより行なうことができる。操作がコピーのための操作でない場合には、処理を終わる。操作がコピーのための操作である場合には、装置状態を「動作中」に設定する。この情報はＲＡＭ３１の所定のメモリ領域（図１の装置状態記憶部６に対応）に記憶される。次に、操作がコピースタート要求であるか否かが判別され（ステップ１０５）、コピースタート要求でない場合には処理を終了し、コピースタート要求である場合には、コピージョブを起動し（ステップ１０６）、コピージョブ処理を開始する（ステップ１０７）。コピージョブ処理が終了したら（ステップ１０８）、装置状態を「待機中」に設定し（ステップ１０９）、処理を終える。
【００４２】
上記ステップ１０２で、装置操作がパネル操作ではないと判断された場合には、その装置操作が、画像形成１４のカバー１４ｇの開閉であるか否か（ステップ１１０）、及び、給紙トレイの着脱であるかか否か（ステップ１１１）が判別され、いずれかである場合は処理を終了し、いずれでもない場合には、ステップ１０４に進む。
【００４３】
また、上記ステップ１０１で、装置操作がないと判別された場合には、プリンタジョブ要求の有無を判別し（ステップ１１２）、プリンタジョブ要求が有る場合には、そのときの装置状態が「動作中」であるか否かを判別し（ステップ１１３）、装置状態が「動作中」であった場合には、プリンタジョブを、ＲＡＭ３１の所定のメモリ領域（図１のジョブ待ちキュー７に対応）に記憶させる（ステップ１１４）。
【００４４】
上記ステップ１１２で、プリンタジョブ要求がないと判断された場合には、ジョブ待ちキューの有無を判別し（ステップ１１５）、ジョブ待ちキューが無い場合には、ステップ１０１に戻る。ジョブ待ちキューが有る場合には、装置状態が「動作中」であるか否かを判別し（ステップ１１６）、装置状態が「動作中」であった場合には、ステップ１０１に戻る。装置状態が「動作中」でなかった場合には、プリンタジョブを起動し（ステップ１１７）、装置状態を「動作中」に設定し（ステップ１１８）、プリンタジョブ処理を開始する（ステップ１１９）。プリンタジョブ処理が終了したら（ステップ１２０）、装置状態を「待機中」に設定し（ステップ１２１）、処理を終える。
【００４５】
また、上記ステップ１１３で、装置状態が「動作中」でなかった場合には、ステップ１１７に進む。
【００４６】
上述のように、図５及び図６に示すフローチャートの処理によれば、複合機がコピージョブの実行の準備状態にあるときには、プリンタジョブの要求があっても、コピージョブの実行が優先される。
【００４７】
図７は、制御パネルからのプリンタジョブの手動起動のシーケンスを示すフローチャートである。
【００４８】
先ず、制御パネル１８におけるパネル操作の有無が判別され（ステップ２０１）、パネル操作が無い場合にはステップ２０１に戻る。パネル操作が有った場合には、装置状態が「動作中」であるか否かが判別され（ステップ２０２）、「動作中」である場合にはステップ２０１に戻る。「動作中」でない場合には、パネル操作が、ジョブ状態を確認するための操作であるか否かを判別し（ステップ２０３）、ジョブ状態確認の操作でない場合には、それぞれのパネル操作に応じた個々の処理を行なう（ステップ２０４）。パネル操作がジョブ状態確認の操作である場合には、制御パネル１８の表示部にジョブ待ちキュー内のジョブを表示する（ステップ２０５）。次に、ジョブ待ちキュー内のジョブが選択されるか（ステップ２０６）、或いは、終了する（ステップ２０７）まで待ち、ジョブが選択された場合には、ジョブ起動要求の有無を判別し（ステップ２０８）、ジョブ起動要求でない場合には、終了する（ステップ２０９）まで待って、制御パネル１８に装置状態が「待機中」であることを表示する（ステップ２１０）。
【００４９】
前記ステップ２０８で、ジョブ起動要求があった場合には、装置状態を「動作中」に設定し（ステップ２１１）、ジョブ待ちキューからプリンタジョブを削除したのち（ステップ２１２）、プリンタジョブを起動し（ステップ２１３）、プリンタジョブの処理を実行する（ステップ２１４）。プリンタジョブ処理が終了したら（ステップ２１５）、装置状態を「待機中」に設定して処理を終える（ステップ２１６）。
【００５０】
上述のように、図７に示すフローチャートの処理によれば、プリンタジョブがジョブ待ちキューの中にある場合においても、制御パネルからの指示によりプリンタジョブを手動で起動することができるので、緊急にプリンタ画像を出力することができる。
【００５１】
図８は、プリンタジョブの優先順位が高い時の画像形成のための資源の確保のシーケンスを示すフローチャートである。
【００５２】
先ず、ホスト装置２１から受信を待ち（ステップ３０１）、ホスト装置２１から受信が有った場合には、ホスト装置２１からのデータの受信を開始する（ステップ３０２）。次に、装置状態が「動作中」であるか否かを判別し（ステップ３０３）、「動作中」であれば、プリンタデータの準備ができるまで待ち（ステップ３０４）、準備ができたらプリンタジョブを要求した後（ステップ３０５）、処理を終了する。
【００５３】
ステップ３０３において、装置状態が「動作中」でない場合には、プリンタジョブの予約要求を行い（ステップ３０６）、次に、プリンタジョブの優先順位が高いか否かを判断する（ステップ３０７）。プリンタジョブの優先順位が高い場合には、装置状態を「動作中」に設定したのち（ステップ３０８）、プリンタデータの準備ができるまで待つ（ステップ３０９）。なお、ステップ３０７でプリンタジョブの優先順位が高くないと判断された場合には、ステップ３０９に進む。プリンタデータの準備ができたら、プリンタジョブの要求を行なった後（ステップ３０９）、処理を終える。
【００５４】
上述のように、図８に示すフローチャートの処理によれば、ホスト装置２１からプリンタデータが受信されば場合には、画像形成のための資源、すなわち、画像形成部１４が、可能な最も早い時点でプリンタジョブのために確保されるので、早急にプリントジョブを実行することができる。
【図面の簡単な説明】
【００５５】
【図１】本発明の複合機におけるジョブ制御方法を実施するための基本的な構成を示す機能ブロック図である。
【図２】本発明が適用されるコピー機能、プリンタ機能等の複数のジョブ機能を有する複合機の外観図を示す。
【図３】図２に示される複合機の原理的な内部構成を示す概略断面図である。
【図４】複合機における画像情報の流れを示すブロック図である。
【図５】コピージョブとプリンタジョブの複合動作シーケンスを示すフローチャートの第１の部分である。
【図６】コピージョブとプリンタジョブの複合動作シーケンスを示すフローチャートの第２の部分である。
【図７】制御パネルからのプリンタジョブの手動起動のシーケンスを示すフローチャートである。
【図８】プリンタジョブの優先順位が高い時の画像形成のための資源の確保のシーケンスを示すフローチャートである。
【符号の説明】
【００５６】
１…入力部、２…装置操作検出部、３…入力内容解析部、４…制御部、５…ジョブ優先順位設定部、６…装置状態記憶部、７…ジョブ待ちキュー、８…プリンタ部、８ａ…プリンタジョブ要求検知部、１１…複合機、１２…原稿読取部、１３…自動原稿送り装置、１３ａ…原稿トレイ、１３ｂ…プラテンカバー、１４…画像形成部、１４ａ…感光体ドラム、１４ｂ…帯電装置、１４ｃ…露光装置、１４ｄ…現像装置、１４ｅ…転写装置、１４ｆ…クリーニング装置、１４ｇ…カバー、１５…定着装置、１６…用紙収納部、１６Ａ，１６Ｂ，１６Ｃ…給紙トレイ、１６ａ，１６ｂ，１６ｃ…用紙カセット、１７…排出トレイ、１８…制御パネル、２１…ホスト装置、２２…画像処理部、２３…ジョブ制御部、２４…ホストインタフェース、２５…画像展開部、２６…画像処理用ＣＰＵ、２７…ページメモリ、２８…制御用ＣＰＵ、２９…ジョブ制御部、３０…ＲＯＭ、３１…ＲＡＭ、３２…カバー開閉センサ、３３…給紙トレイセンサ、３４…原稿トレイセンサ
【図１】
2005041228.tif 000003
【図２】
2005041228.tif 000004
【図３】
2005041228.tif 000005
【図４】
2005041228.tif 000006
【図５】
2005041228.tif 000007
【図６】
2005041228.tif 000008
【図７】
2005041228.tif 000009
【図８】
2005041228.tif 000010